(57)【要約】セル対基地局方式で、ユーザ機器（ＵＥ）のハンドオーバを実行する技術が記述される。ＵＥは、ソース基地局からターゲット基地局へハンドオーバを実行するハンドオーバ・コマンドを受信することができる。ソース基地局は、ＵＥのコンテクスト情報を基地局へ送る。このコンテクスト情報は、ターゲット基地局の全てのセルに対して利用可能である。ＵＥは、ソース基地局のサービス提供セルから、ターゲット基地局の第１のセルへのハンドオーバを試みることができる。ＵＥは、第１のセルへのハンドオーバが失敗すると、ターゲット基地局の第２のセルへのハンドオーバを試みることができる。ＵＥは、（ｉ）ソース基地局から第１のセルおよび第２のセルを受け取るか、または、（ｉｉ）ソース基地局から第１のセルのみを受け取り、ブロードキャストされたシステム情報に基づいて、第２のセルを決定することができる。
2010506506.tif 000002
【特許請求の範囲】
【請求項１】
無線通信のための装置であって、
ソース基地局のセルから、ターゲット基地局の第１のセルへのユーザ機器（ＵＥ）のハンドオーバを試み、前記ターゲット基地局の第１のセルへのハンドオーバが失敗すると、前記ターゲット基地局の第２のセルへのハンドオーバを試みるように構成された少なくとも１つのプロセッサを備え、
前記ソース基地局は、前記ハンドオーバのために、前記ＵＥのコンテクスト情報を、前記ターゲット基地局へ転送し、
前記コンテクスト情報は、前記ターゲット基地局の第１のセルと第２のセルとの両方に利用可能であり、
前記装置はさらに、前記少なくとも１つのプロセッサに接続されたメモリを備える装置。
【請求項２】
前記少なくとも１つのプロセッサは、前記ターゲット基地局の第１のセルへのハンドオーバを試みるために、前記第１のセルへ第１のランダム・アクセス・プリアンブルを送り、前記ターゲット基地局の第２のセルへのハンドオーバを試みるために、前記第２のセルへ第２のランダム・アクセス・プリアンブルを送るように構成された請求項１に記載の装置。
【請求項３】
前記少なくとも１つのプロセッサは、前記第１のセルからランダム・アクセス応答を受信しない場合、前記ターゲット基地局の第１のセルへのハンドオーバが失敗したと判定するように構成された請求項２に記載の装置。
【請求項４】
前記少なくとも１つのプロセッサは、前記ソース基地局から、前記ターゲット基地局の第１のセルおよび第２のセルを受け取るように構成された請求項１に記載の装置。
【請求項５】
前記少なくとも１つのプロセッサは、前記ソース基地局から、前記ターゲット基地局の第１のセルを受け取り、前記ソース基地局によってブロードキャストされたシステム情報に基づいて、前記ターゲット基地局の第２のセルを決定するように構成された請求項１に記載の装置。
【請求項６】
前記少なくとも１つのプロセッサは、前記ソース基地局から、前記ターゲット基地局の候補セルのリストを受信し、前記候補セルのリストから、前記第１のセルおよび第２のセルを選択するように構成された請求項１に記載の装置。
【請求項７】
前記少なくとも１つのプロセッサは、前記ターゲット基地局のセルの測定値に基づいて、前記第１のセルを先ず選択し、次に、前記測定値に基づいて第２のセルを選択するように構成された請求項１に記載の装置。
【請求項８】
前記少なくとも１つのプロセッサは、前記ソース基地局から、前記ターゲット基地局のコンフィグレーション情報を受信し、前記コンフィグレーション情報を用いて、前記ターゲット基地局の各セルへのハンドオーバを試みるようにシグナリングを送るように構成された請求項１に記載の装置。
【請求項９】
前記ターゲット基地局の第１のセルおよび第２のセルは、異なる地理的領域をカバーする請求項１に記載の装置。
【請求項１０】
前記ターゲット基地局の第１のセルおよび第２のセルは、異なる周波数で動作し、重なり合う有効範囲領域を持つ請求項１に記載の装置。
【請求項１１】
前記少なくとも１つのプロセッサは、前記ターゲット基地局の第２のセルへのハンドオーバが失敗し、ハンドオーバを試みるのに、前記ターゲット基地局のその他どのセルも利用可能ではない場合、アイドル状態へ移行するように構成された請求項１に記載の装置。
【請求項１２】
前記少なくとも１つのプロセッサは、前記ターゲット基地局の第２のセルへのハンドオーバが失敗した場合、前記ソース基地局の他のセルへのハンドオーバを試みるように構成された請求項１に記載の装置。
【請求項１３】
無線通信のための方法であって、
ソース基地局のセルから、ターゲット基地局の第１のセルへとユーザ機器（ＵＥ）のハンドオーバを試みることと、
前記ターゲット基地局の第１のセルへのハンドオーバが失敗すると、前記ターゲット基地局の第２のセルへのハンドオーバを試みることとを備え、
前記ソース基地局は、前記ハンドオーバのために、前記ＵＥのコンテクスト情報を、前記ターゲット基地局へ転送し、
前記コンテクスト情報は、前記ターゲット基地局の第１のセルと第２のセルとの両方に利用可能である方法。
【請求項１４】
前記第１のセルへのハンドオーバを試みることは、前記第１のセルへのハンドオーバを試みるために、前記ターゲット基地局の第１のセルへ第１のランダム・アクセス・プリアンブルを送ることを備え、
前記第２のセルへのハンドオーバを試みることは、前記第２のセルへのハンドオーバを試みるために、前記ターゲット基地局の第２のセルへ第２のランダム・アクセス・プリアンブルを送ることを備える請求項１３に記載の方法。
【請求項１５】
前記ソース基地局から、前記ターゲット基地局の第１のセルおよび第２のセルを受け取ることをさらに備える請求項１３に記載の方法。
【請求項１６】
前記ソース基地局から、前記ターゲット基地局の第１のセルを受け取ることと、
前記ソース基地局によってブロードキャストされたシステム情報に基づいて、前記ターゲット基地局の第２のセルを決定することと
をさらに備える請求項１３に記載の方法。
【請求項１７】
無線通信のための装置であって、
ソース基地局のセルから、ターゲット基地局の第１のセルへのユーザ機器（ＵＥ）のハンドオーバを試みる手段と、
前記ターゲット基地局の第１のセルへのハンドオーバが失敗すると、前記ターゲット基地局の第２のセルへのハンドオーバを試みる手段とを備え、
前記ソース基地局は、前記ハンドオーバのために、前記ＵＥのコンテクスト情報を、前記ターゲット基地局へ転送し、
前記コンテクスト情報は、前記ターゲット基地局の第１のセルと第２のセルとの両方に利用可能である装置。
【請求項１８】
前記第１のセルへのハンドオーバを試みる手段は、前記第１のセルへのハンドオーバを試みるために、前記ターゲット基地局の第１のセルへ第１のランダム・アクセス・プリアンブルを送る手段を備え、
前記第２のセルへのハンドオーバを試みる手段は、前記第２のセルへのハンドオーバを試みるために、前記ターゲット基地局の第２のセルへ第２のランダム・アクセス・プリアンブルを送る手段を備える請求項１７に記載の装置。
【請求項１９】
前記ソース基地局から、前記ターゲット基地局の第１のセルおよび第２のセルを受け取る手段をさらに備える請求項１７に記載の装置。
【請求項２０】
前記ソース基地局から、前記ターゲット基地局の第１のセルを受け取る手段と、
前記ソース基地局によってブロードキャストされたシステム情報に基づいて、前記ターゲット基地局の第２のセルを決定する手段と
をさらに備える請求項１７に記載の装置。
【請求項２１】
機械によって実行された場合、前記機械に、
ソース基地局のセルから、ターゲット基地局の第１のセルへのユーザ機器（ＵＥ）のハンドオーバを試みることと、
前記ターゲット基地局の第１のセルへのハンドオーバが失敗すると、前記ターゲット基地局の第２のセルへのハンドオーバを試みることとを含む動作を実行させる命令群を備えた機械読取可能媒体であって、
前記ソース基地局は、前記ハンドオーバのために、前記ＵＥのコンテクスト情報を、前記ターゲット基地局へ転送し、
前記コンテクスト情報は、前記ターゲット基地局の第１のセルと第２のセルとの両方に利用可能である機械読取可能媒体。
【請求項２２】
無線通信のための装置であって、
ソース基地局からターゲット基地局へのユーザ機器（ＵＥ）のハンドオーバの要求を送り、前記ＵＥのコンテクスト情報を前記ターゲット基地局へ送り、前記ＵＥのターゲット基地局へのハンドオーバを開始するハンドオーバ・コマンドを前記ＵＥへ送るように構成された少なくとも１つのプロセッサを備え、
前記ＵＥは、前記ターゲット基地局の第１のセルへのハンドオーバを先ず試み、次に、前記第１のセルへのハンドオーバが失敗すると、前記ターゲット基地局の第２のセルへのハンドオーバを試み、
前記装置はさらに、前記少なくとも１つのプロセッサに接続されたメモリを備える装置。
【請求項２３】
前記少なくとも１つのプロセッサは、前記ハンドオーバ・コマンドで、前記ＵＥに、前記ターゲット基地局の第１のセルと第２のセルとを送るように構成された請求項２２に記載の装置。
【請求項２４】
前記少なくとも１つのプロセッサは、前記ハンドオーバ・コマンドで、前記ＵＥに、前記ターゲット基地局の第１のセルのみを送り、前記ターゲット基地局のセルを備える近隣セル・リストをブロードキャストするように構成された請求項２２に記載の装置。
【請求項２５】
前記少なくとも１つのプロセッサは、前記ターゲット基地局のコンフィグレーション情報を前記ＵＥへ送るように構成され、前記コンフィグレーション情報は、前記ターゲット基地局の各セルへのハンドオーバを試みるためのシグナリングを送るために、前記ＵＥによって使用される請求項２２に記載の装置。
【請求項２６】
前記少なくとも１つのプロセッサは、前記ターゲット基地局のセルのリストを備えた測定制御メッセージを前記ＵＥへ送り、前記測定制御メッセージに基づいて、前記ＵＥによってなされた測定値を受信し、前記測定値に基づいて、前記ＵＥのハンドオーバのためのターゲット基地局を選択するように構成された請求項２２に記載の装置。
【請求項２７】
無線通信のための方法であって、
ソース基地局からターゲット基地局へのユーザ機器（ＵＥ）のハンドオーバの要求を送ることと、
前記ＵＥのコンテクスト情報を前記ターゲット基地局へ送ることと、
前記ＵＥのターゲット基地局へのハンドオーバを開始するハンドオーバ・コマンドを前記ＵＥへ送ることとを備え、
前記ＵＥは、前記ターゲット基地局の第１のセルへのハンドオーバを先ず試み、次に、前記第１のセルへのハンドオーバが失敗すると、前記ターゲット基地局の第２のセルへのハンドオーバを試みる方法。
【請求項２８】
前記ハンドオーバ・コマンドで、前記ＵＥに、前記ターゲット基地局の第１のセルおよび第２のセルを送ることをさらに備える請求項２７に記載の方法。
【請求項２９】
前記ハンドオーバ・コマンドで、前記ＵＥに、前記ターゲット基地局の第１のセルのみを送ることと、
前記ターゲット基地局のセルを備える近隣セル・リストをブロードキャストすることと
をさらに備える請求項２７に記載の方法。
【請求項３０】
無線通信のための装置であって、
ソース基地局からターゲット基地局へのユーザ機器（ＵＥ）のハンドオーバの要求を受信し、前記ＵＥのコンテクスト情報を前記ソース基地局から受信し、前記ＵＥの前記ターゲット基地局へのハンドオーバのために、前記ＵＥとシグナリングを交換するように構成された少なくとも１つのプロセッサを備え、
前記ＵＥはまず、前記ターゲット基地局の第１のセルへのハンドオーバを試み、次に、前記第１のセルへのハンドオーバが失敗すると、前記ターゲット基地局の第２のセルへのハンドオーバを試み、
前記少なくとも１つのプロセッサはさらに、前記ＵＥの前記第１のセルまたは前記第２のセルへのハンドオーバが成功すると、前記コンテクスト情報に基づいて前記ＵＥにサービス提供するように構成され、
前記装置はさらに、前記少なくとも１つのプロセッサに接続されたメモリを備える装置。
【請求項３１】
前記少なくとも１つのプロセッサは、前記第１のセルにおいて、前記ＵＥからの第１のランダム・アクセス・プリアンブルを受信し、前記第１のセルから前記ＵＥへと第１のランダム・アクセス応答を送り、前記第２のセルにおいて、前記ＵＥからの第２のランダム・アクセス・プリアンブルを受信し、前記第２のセルから前記ＵＥへと第２のランダム・アクセス応答を送るように構成された請求項３０に記載の装置。
【請求項３２】
前記少なくとも１つのプロセッサは、前記ＵＥによって前記第１のセルへ送られた第１のランダム・アクセス・プリアンブルを誤って復号し、前記ＵＥによって前記第２のセルへ送られた第２のランダム・アクセス・プリアンブルを正しく復号し、前記第２のセルから前記ＵＥへランダム・アクセス応答を送るように構成された請求項３０に記載の装置。
【請求項３３】
無線通信のための方法であって、
ソース基地局からターゲット基地局へのユーザ機器（ＵＥ）のハンドオーバの要求を受信することと、
前記ＵＥのコンテクスト情報を前記ソース基地局から受信することと、
前記ターゲット基地局へのＵＥのハンドオーバのために、前記ＵＥとシグナリングを交換することとを備え、
前記ＵＥはまず、前記ターゲット基地局の第１のセルへのハンドオーバを試み、次に、前記第１のセルへのハンドオーバが失敗すると、前記ターゲット基地局の第２のセルへのハンドオーバを試み、
前記方法はさらに、前記ＵＥの前記第１のセルまたは前記第２のセルへのハンドオーバが成功すると、前記コンテクスト情報に基づいて前記ＵＥにサービス提供することを備える方法。
【請求項３４】
前記ハンドオーバのために、前記ＵＥとシグナリングを交換することは、
前記第１のセルにおいて、前記ＵＥから第１のランダム・アクセス・プリアンブルを受信することと、
前記第１のセルから前記ＵＥへ第１のランダム・アクセス応答を送ることと、
前記第２のセルにおいて、前記ＵＥからの第２のランダム・アクセス・プリアンブルを受信することと、
前記第２のセルから前記ＵＥに第２のランダム・アクセス応答を送ることと
を備える請求項３３に記載の方法。
【請求項３５】
前記ハンドオーバのために、前記ＵＥとシグナリングを交換することは、
前記ＵＥによって前記第１のセルへ送られた第１のランダム・アクセス・プリアンブルを誤って復号することと、
前記ＵＥによって前記第２のセルへ送られた第２のランダム・アクセス・プリアンブルを正しく復号することと、
前記第２のセルから前記ＵＥへランダム・アクセス応答を送ることと
を備える請求項３３に記載の方法。
【発明の詳細な説明】
【技術分野】
【０００１】
本開示は、一般に通信に関し、特に無線通信システムにおいてハンドオーバを実行する技術に関する。
【背景技術】
【０００２】
無線通信システムは、例えば音声、ビデオ、パケット・データ、メッセージング、ブロードキャスト等のような様々な通信コンテンツを提供するために広く展開している。これらの無線システムは、利用可能なシステム・リソースを共有することにより複数のユーザをサポートすることができる多元接続システムでありうる。そのような多元接続システムの一例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングル・キャリアＦＤＭＡ（ＳＣ−ＦＤＭＡ）システムを含んでいる。
【０００３】
無線通信システムは、任意の数のユーザ機器（ＵＥ）のための通信をサポートする任意の数の基地局を含むことができる。各基地局は、特定の地理的領域に通信有効範囲を提供することができる。各基地局の有効範囲領域の全体は、複数（例えば、３つ）のより小さな領域に分割されうる。用語「セル」は、この有効範囲領域にサービス提供する基地局および／または基地局サブシステムのうちの最も小さな有効範囲領域を称することができる。
【０００４】
ＵＥ（例えば、セルラ電話）は、呼出のために、サービス提供セルと通信することができる。ＵＥは移動式でありうる。そして、サービス提供セルの有効範囲から、ＵＥにより良くサービス提供する新たなセルの有効範囲へと移動しうる。ＵＥは、サービス提供セルから新たなセルへのハンドオーバを実行することができる。新たなセルへのハンドオーバは、様々な理由で失敗するかもしれない。この場合、ＵＥは、サービス提供セルとの接続を失い、アイドル状態に入りうる。その後、ＵＥは、アイドル状態で、通常の方式で（例えば、最初から）、適切なセルへのアクセスを試みることができる。しかしながら、ハンドオーバ失敗の場合、ＵＥがアイドル状態に入ることは、サービスの途絶をもたらし得る。これは、望ましいことではない。
【発明の概要】
【０００５】
本願は、本願の譲受人に譲渡され、本明細書において参照によって組み込まれている、２００６年１０月３日に出願された米国仮出願６０／８２８，０１０号と、２００６年１０月４日に出願された米国仮出願６０／８２８，１８６号との優先権を主張する。
【０００６】
本明細書では、ハンドオーバ信頼性を向上するために、セル対基地局方式でＵＥのハンドオーバを実行する技術が記述される。ＵＥは、ソース基地局からターゲット基地局へのハンドオーバを実行するハンドオーバ・コマンドを受信しうる。ハンドオーバの一部として、ソース基地局は、ＵＥのコンテクスト情報を、ターゲット基地局へ送る。ターゲット基地局は、ハンドオーバ後にＵＥにサービス提供するためにこのコンテクスト情報を用いる。このコンテクスト情報は、ソース基地局から他のコンテクストを転送する必要なく、ターゲット基地局の全てのセルに利用可能である。
【０００７】
１つの設計では、ＵＥは、ソース基地局のサービス提供セルから、ターゲット基地局の第１のセルへのハンドオーバを試みることができる。ＵＥは、ターゲット基地局の第１のセルへのハンドオーバが失敗すると、ターゲット基地局の第２のセルへのハンドオーバを試みることができる。１つの設計では、ＵＥは、例えばハンドオーバ・コマンドによって、ソース基地局から第１のセルおよび第２のセルを受け取ることができる。別の設計では、ＵＥは、ソース基地局から第１のセルのみを受け取り、ソース基地局によってブロードキャストされたシステム情報（例えば、近隣セル・リスト）に基づいて、第２のセルを決定することができる。
【０００８】
本開示の様々な局面および特徴が、以下にさらに詳細に記載される。
【図面の簡単な説明】
【０００９】
【図１】図１は、無線多元接続通信システムを示す。
【図２】図２は、２つの周波数上のセルの構成を示す。
【図３】図３は、ＵＥの状態図を示す。
【図４】図４は、ソース基地局からターゲット基地局の任意のセルへのＵＥのハンドオーバのためのメッセージ・フローを示す。
【図５】図５は、ソース基地局からターゲット基地局の任意のセルへのＵＥのハンドオーバのためのメッセージ・フローを示す。
【図６】図６は、ソース基地局からターゲット基地局の任意のセルへのＵＥのハンドオーバのためのメッセージ・フローを示す。
【図７】図７は、ＵＥによってハンドオーバを実行するための処理を示す。
【図８】図８は、ＵＥによってハンドオーバを実行するための装置を示す。
【図９】図９は、ソース基地局によるＵＥのハンドオーバをサポートするための処理を示す。
【図１０】図１０は、ソース基地局によるＵＥのハンドオーバをサポートするための装置を示す。
【図１１】図１１は、ターゲット基地局によるＵＥのハンドオーバをサポートするための処理を示す。
【図１２】図１２は、ターゲット基地局によるＵＥのハンドオーバをサポートするための装置を示す。
【図１３】図１３は、ＵＥと２つの基地局のブロック図を示す。
【発明を実施するための形態】
【００１０】
本明細書に記載のハンドオーバ技術は、例えばＣＤＭＡ、ＴＤＭＡ、ＦＤＭＡ、ＯＦＤＭＡ、ＳＣ−ＦＤＭＡ、およびその他のシステムのような様々な無線通信システムのために使用されうる。「システム」、「ネットワーク」という用語は、しばしば置換可能に使用される。ＣＤＭＡシステムは、例えばユニバーサル地上ラジオ接続（ＵＴＲＡ）、ｃｄｍａ２０００等のようなラジオ技術を実施することができる。ＵＴＲＡは、広帯域ＣＤＭＡ（Ｗ−ＣＤＭＡ）および低チップ・レート（ＬＣＲ）を含んでいる。ｃｄｍａ２０００は、ＩＳ−２０００規格、ＩＳ−９５規格、およびＩＳ−８５６標準をカバーする。ＴＤＭＡシステムは、グローバル移動体通信システム（ＧＳＭ）のようなラジオ技術を実施しうる。ＯＦＤＭＡシステムは、例えばエボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭ（登録商標）等のようなラジオ技術を実施することができる。ＵＴＲＡ、Ｅ−ＵＴＲＡおよびＧＳＭは、ユニバーサル・モバイル・テレコミュニケーション・システム（ＵＭＴＳ）の一部である。３ＧＰＰロング・ターム・エボリューション（ＬＴＥ）は、Ｅ−ＵＴＲＡを用いるＵＭＴＳの最新版であり、ダウンリンク上ではＯＦＤＭＡを用い、アップリンク上ではＳＣ−ＦＤＭＡを用いる。ＵＴＲＡ、Ｅ−ＵＴＲＡ、ＧＳＭ、ＵＭＴＳおよびＬＴＥは、「第３世代パートナシップ計画」（３ＧＰＰ）と命名された組織からのドキュメントに記載されている。ｃｄｍａ２０００とＵＭＢは、「第３世代パートナシップ計画２」（３ＧＰＰ２）と命名された組織からのドキュメントに記載されている。これら様々なラジオ技術および規格が、当該技術で知られている。明瞭さのために、これら技術のある局面は、ＬＴＥについて以下に記載されており、ＬＴＥという用語が、以下の記載のほとんどにおいて使用される。
【００１１】
図１は、複数のエボルブドＮｏｄｅＢ（ｅＮＢ）を備えた無線多元接続通信システム１００を示す。単純化のために、２つのｅＮＢ１１０ａおよびｅＮＢ１１０ｂのみが図１に示される。ｅＮＢは、ＵＥとの通信のために使用される固定局であり、ＮｏｄｅＢ、基地局、アクセス・ポイント等とも称されうる。各ｅＮＢ１１０は、特定の地理的領域１０２のために通信有効範囲を提供する。システム容量を向上するために、ｅＮＢ有効範囲領域は、例えば３つの小さな領域１０４ａ、１０４ｂ、１０４ｃのような複数の小さな領域に分割されうる。これら小さな領域の各々は、各ｅＮＢサブシステムによってサービス提供されうる。３ＧＰＰでは、用語「セル」は、この有効範囲領域にサービス提供するｅＮＢおよび／またはｅＮＢサブシステムのうちの最も小さい有効範囲領域を称することができる。他のシステムでは、用語「セクタ」が、この有効範囲領域にサービス提供するサブシステムおよび／または最も小さい有効範囲領域を称することができる。明瞭さのため、以下の記載ではセルの３ＰＧＧ概念が使用される。
【００１２】
ＵＥ１２０は、システム全体にわたって分布しうる。ＵＥは固定式または移動式であり、モバイル局、端末、アクセス端末、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話等でありうる。ＵＥは、ダウンリンクおよびアップリンクでの送信によって、１または複数のｅＮＢと通信することができる。ダウンリンク（または順方向リンク）は、ｅＮＢからＵＥへの通信リンクを称し、アップリンク（または逆方向リンク）は、ＵＥからｅＮＢへの通信リンクを称する。図１では、２つの矢印を備えた実線は、ＵＥとｅＮＢとの間の通信を示す。１つの矢印を備えた破線は、他のｅＮＢへのハンドオーバを試みているＵＥを示す。
【００１３】
モビリティ管理エンティティ／システム・アーキテクチャ・エボリューション（ＭＭＥ／ＳＡＥ）ゲートウェイ１３０は、ｅＮＢｓ１１０に接続しており、ＵＥ１２０のための通信をサポートすることができる。例えば、ＭＭＥ／ＳＡＥゲートウェイ１３０は、例えば、ページング・メッセージのｅＮＢへの配信、セキュリティ制御、アイドル状態モビリティ制御、ＳＡＥベアラ制御、高次レイヤ・シグナリングの暗号化および完全性保護、理由にページするためのユーザ・プレーン・パケットの停止、ＵＥモビリティのサポートのためのユーザ・プレーンの切替のような様々な機能を実行することができる。システム１００は、その他の機能をサポートするその他のネットワーク・エンティティを含みうる。ＬＴＥにおけるネットワーク・エンティティは、公的に利用可能な２００７年３月の"Evolved Universal Terrestrial Radio Access (E-UTRA) and Evolved Universal Terrestrial Radio Access Network (E-UTRAN); Overall description"と題された３ＧＰＰ  ＴＳ  ３６．３００に記載されている。
【００１４】
図１に示す例において、ｅＮＢ１１０ａは、異なる地理的領域をカバーする３つのセルＡ１、Ｂ１、Ｃ１を有する。ｅＮＢ１１０ｂもまた、異なる地理的領域をカバーする３つのセルＡ２、Ｂ２、Ｃ２を有する。ｅＮＢｓ１１０ａ、１１０ｂのセルは、同じ周波数で動作することができる。明瞭さのために、図１は、互いに重なり合わないｅＮＢのセルを示す。現実的な構成では、各ｅＮＢの隣接セルは一般に端部において互いに重なり合う。さらに、各ｅＮＢの各セルは一般に、端部において、１または複数の他のｅＮＢの１または複数のセルと重なりあう。この有効範囲端部における重なりによって、ＵＥが、システムのあちこちを移動すると、任意の場所における１または複数のセルから有効範囲を受け取ることができることを保証する。
【００１５】
図２は、ｅＮＢｓ１１０ａ、１１０ｂの別の構成を示す。図２に示す例において、ｅＮＢ１１０ａは、２つの周波数Ｆ１、Ｆ２それぞれにおいて動作し、かつ重なり合う有効範囲領域を持つ２つのセルＡ１、Ｂ１を有する。ｅＮＢ１１０ａもまた、２つの周波数Ｆ１、Ｆ２それぞれにおいて動作し、かつ重なり合う有効範囲領域を持つ２つのセルＡ２、Ｂ２を有する。セルＡ１、Ｂ１はそれぞれ端部においてセルＡ２、Ｂ２と重なり合い、セルＡ２、Ｂ２はそれぞれ端部においてセルＡ１、Ｂ１と重なり合う。
【００１６】
一般に、ｅＮＢは、任意の数の周波数上に任意の数のセルを持つことができる。複数のセルは、容量を向上するために、所定の地理的領域における異なる周波数上で展開されうる。この場合、地理的領域におけるＵＥは、これらセル間の負荷を平準化するために、異なる周波数上のセルにわたって分散されうる。一般に、ＵＥは、サービス提供セルから、ＵＥにより良好にサービス提供できるセルへのハンドオーバを実行することができる。より良好なセルは、サービス提供セルと同じ周波数上にあるかもしれないし、違う周波数上にあるかもしれない。
【００１７】
図３は、ＬＴＥ内のＵＥのための状態図３００を示す。ＵＥは、例えばＬＴＥデタッチ（detach）状態、ＬＴＥアイドル状態、およびＬＴＥアクティブ状態のような幾つかの状態のうちの１つで動作することができる。ＵＥは、起動されると、ＬＴＥデタッチ状態に入ることができる。ＬＴＥデタッチ状態では、ＵＥは、システムにアクセスしておらず、システムによって知られていない。ＵＥは、初期システム・アクセスを実行し、このシステムに登録する。ＵＥは、その後、（ｉ）ＵＥが、ダウンリンクまたはアップリンクで交換するデータを持っている場合には、ＬＴＥアクティブ状態へ、そうでない場合には、（ｉｉ）ＬＴＥアイドル状態への何れかに移行することができる。
【００１８】
ＬＴＥアイドル状態では、ＵＥおよびシステムは、ＵＥがＬＴＥアクティブ状態への迅速な移行を可能にするコンテクスト情報を有しうる。ＬＴＥアイドル状態にある間、送信または受信するデータがある場合、ＵＥは、ＬＴＥアクティブ状態へのランダム・アクセスおよび移行を行うことができる。ＬＴＥアクティブ状態では、ＵＥは、ダウンリンクおよび／またはアップリンクでシステムとアクティブに通信することができる。ＵＥは、サービス提供セルの有効範囲の外側に移動した場合は常に、新たなセルへのハンドオーバを実行することができる。ハンドオーバが成功すると、ＵＥはＬＴＥアクティブ状態にとどまり、ハンドオーバに失敗すると、ＵＥは、ＬＴＥアイドル状態に戻ることができる。ＵＥは、その他の方法で様々な状態間を移行することもできる。
【００１９】
システムは、ネットワークによって開始されるハンドオーバ、および／または、ＵＥによって開始されるハンドオーバをサポートすることができる。ネットワークによって開始されるハンドオーバの場合、ＵＥは、システムによって指示される場合は常にハンドオーバを実行することができ、システムは、例えば、ＵＥによってなされサービス提供セルへ送られる測定値に基づいて、ＵＥがハンドオーバを試みるターゲット・セルを選択することができる。順方向ハンドオーバとも称されるＵＥによって開始されるハンドオーバの場合、ＵＥは、ターゲット・セルへのハンドオーバを自律的に開始することができる。
【００２０】
ＵＥは、セル対セル方式で、サービス提供セルからターゲット・セルへのハンドオーバを実行することができる。ｅＮＢ間ハンドオーバの場合、サービス提供セルは、ソースｅＮＢによってサービス提供され、ターゲット・セルは、ソースｅＮＢとは異なるターゲットｅＮＢによってサービス提供される。ｅＮＢ間ハンドオーバに先立って、ソースｅＮＢは、ＵＥのコンテクスト情報を、ターゲットｅＮＢへ転送し、ハンドオーバ後、ＵＥにサービス提供するターゲットｅＮＢを支援する。
【００２１】
サービス提供セルからターゲット・セルへのハンドオーバは、様々な理由で失敗するかもしれない。ハンドオーバは、セル対セル方式で実行されうるので、ＵＥは、オリジナルのターゲット・セルへのハンドオーバが失敗した場合、第２のターゲットｅＮＢの第２のターゲット・セルを選択することができる。その後、ＵＥは、第２のターゲット・セルを介した接続の再確立を試みることができる。このハンドオーバ動作は、不必要に複雑であると考えられる。なぜなら、ＵＥのコンテクスト情報が、ソースｅＮＢから第２のターゲットｅＮＢへと再び転送される必要があるからである。この複雑さを回避するために、ＵＥは、ソースｅＮＢとの接続をやめ、ＬＴＥアイドル状態に入る。その後、ＵＥは、ＬＴＥアイドル状態において、通常方式で（例えば、最初から）適切なセルへのアクセスを試みる。しかしながら、ハンドオーバが失敗した場合に、ＵＥがＬＴＥアイドル状態に入ることによって、ＵＥへのサービスが途絶するかもしれない。
【００２２】
局面では、ＵＥは、セル対ｅＮＢ方式でハンドオーバを実行し、ハンドオーバの成功確率を高めるために、ターゲットｅＮＢの異なるセルへのハンドオーバを実行することができる。ＵＥのコンテクスト情報は、ｅＮＢ対ｅＮＢ通信によって、ソースｅＮＢからターゲットｅＮＢへと転送されうる。このコンテクスト情報は、ターゲットｅＮＢの異なるセルにサービス提供している異なるｅＮＢ間で容易に転送されうる。したがって、ＵＥは、ソースｅＮＢによるコンテクスト情報の他の転送を行う必要なく、ターゲットｅＮＢの任意のセルへとハンドオーバされうる。したがって、このセル対ｅＮＢハンドオーバ技術は、ＵＥが、コンテクスト情報の転送のための更なるオーバヘッドを必要とせずに、ターゲットｅＮＢの任意のセルを選択することを可能にすることによって、ハンドオーバ手続きのロバスト性を高めることができる。
【００２３】
ＵＥは、様々な方法で、ターゲットｅＮＢの候補セルのリストを得ることができる。これらは、ハンドオーバのための候補である。１つの設計では、ソースｅＮＢは、ハンドオーバを実行するようにＵＥに指示するために、例えば、これらセルのセルＩＤを、ハンドオーバ・コマンド・メッセージ内に含めることによって、候補セルのリストをＵＥに送ることができる。候補セルは、ＵＥのサービス提供セルに地理的に近いかもしれない。リスト内の候補セルは、例えば、ハンドオーバが最も成功すると思われるセルから始まって、ハンドオーバが最も成功しにくいと思われるセルまで順序付けられる。ＵＥは、ハンドオーバを試みるために、リスト内の最初のセルから始まって、リストから、一度に１つの候補セルを選択することができる。あるいは、ＵＥは、ハンドオーバを試みるために、例えば、ＵＥにおいて利用可能であるとのセル測定結果に基づいて、リスト内の候補セルを選択することができる。一般に、ＵＥは、リスト内の任意の候補セルを自律的に選択し、選択されたセルへ、ＵＥによって開始されたハンドオーバを実行することができる。選択されたセルへのハンドオーバが失敗すると、ＵＥはリスト内の他の候補セルを選択し、このセルへのハンドオーバを試みることができる。
【００２４】
別の設計では、ＵＥは、ソースｅＮＢ、ターゲットｅＮＢ、またはその他のｅＮＢによってブロードキャストされたシステム情報に含まれる近隣セル・リストから、ターゲットｅＮＢの候補セルのリストを得ることができる。この近隣セル・リストは、これらのセルをｅＮＢに関連付ける情報のみならず、近隣セルをも含むことができる。例えば、近隣セル・リスト内の各セルは、特定のｅＮＢ  ＩＤに関連付けられうる。あるいは、別のｅＮＢに別のセットＩＤが割り当てられ、各セルは、そのセルが属するｅＮＢのセットＩＤにマップされうる。
【００２５】
また別の設計では、ＵＥは、ソースｅＮＢによって送られた測定制御メッセージから、１または複数の近隣ｅＮＢのセルの１または複数のリストを得ることができる。ＵＥによって報告されたセル測定値に基づいて、近隣ｅＮＢのうちの１つが、ターゲットｅＮＢとして選択される。その後、ＵＥは、ハンドオーバを試みるために、選択されたターゲットｅＮＢのセルのリストを用いることができる。ＵＥはまた、別の方法でも、ターゲットｅＮＢの候補セルのリストを得ることができる。
【００２６】
１つの設計では、ソースｅＮＢは、ＵＥがハンドオーバを試みることができるターゲットｅＮＢの候補セルのリストを（例えば、ハンドオーバ・コマンド・メッセージで）提供することができる。別の設計では、ソースｅＮＢは、ＵＥがハンドオーバを試みることができるターゲットｅＮＢの１つのターゲット・セルを提供することができる。ＵＥは、ターゲット・セルへのハンドオーバが失敗すると、ターゲットｅＮＢの他のセルへのハンドオーバを自律的に試みることができる。また別の設計では、ソースｅＮＢは、ＵＥがハンドオーバを試みることができるターゲットｅＮＢの１つのターゲット・セルを提供し、ＵＥによって開始されるハンドオーバが可能であるか否かを示すインジケーションを提供することができる。ターゲット・セルへのハンドオーバが失敗し、ＵＥによって開始されるハンドオーバが可能であるのであれば、ＵＥは、ターゲットｅＮＢの別のセルへのハンドオーバを試みることができる。ＵＥはまた、ハンドオーバを開始するか否か、および／または、どのセルにハンドオーバを試みるのかを、別の方法で決定することができる。
【００２７】
図４は、例えば、図１または図２に示すように、ソースｅＮＢ１１０ａのセルＡ１から、ターゲットｅＮＢ１１０ｂのセルへのＵＥ１２０ｘのハンドオーバのように、ソースｅＮＢのサービス提供セルから、ターゲットｅＮＢのセルへのＵＥのｅＮＢ間ハンドオーバのためのメッセージ・フロー４００の設計を示す。明瞭さのために、以下では、ＵＥのハンドオーバに適切なシグナリングおよび機能のみが記載される。
【００２８】
ＵＥはまず、ソースｅＮＢのサービス提供セル（例えば、セルＡ１）と通信する。ソースｅＮＢは、ＵＥのための測定手順を設定し（ステップ１）、ＵＥは、ソースｅＮＢに測定レポートを送る（ステップ２）。ソースｅＮＢは、ＵＥをハンドオフすることを決定し（ステップ３）、ターゲットｅＮＢへハンドオーバ要求メッセージを発行する（ステップ４）。ソースｅＮＢは、ＵＥのコンテクスト情報をターゲットｅＮＢへと送る。このコンテクスト情報は、ＲＲＣコンテクスト、ＳＡＥベアラ・コンテクスト、および／または、ＵＥの通信をサポートするために使用されるその他の情報を含みうる。ターゲットｅＮＢは、許可制御を実行し、ＵＥのハンドオーバを受諾することができる（ステップ５）。その後、ターゲットｅＮＢは、ソースｅＮＢにハンドオーバ要求アクノレッジメント（Ａｃｋ）を返すことができる（ステップ６）。
【００２９】
その後、ソースｅＮＢは、ＵＥにハンドオーバ・コマンドを送ることができる（ステップ７）。ハンドオーバ・コマンドは、ＵＥがハンドオーバを試みることができるターゲットｅＮＢの１または複数の候補セル（例えば、図１または図２におけるセルＡ２およびセルＢ２）を含むことができる。このハンドオーバ・コマンドはさらに、例えばターゲットｅＮＢのためのコンフィグレーション情報（例えば、ラジオ・リンク・コンフィグレーション）のようなその他の情報をも含むことができる。ＵＥは、ターゲットｅＮＢへとシグナリングを送るためにこのコンフィグレーション情報を用いることができる。
【００３０】
その後、ＵＥは、ソースｅＮＢから離れ、ハンドオーバを試みるために、ターゲットｅＮＢの候補セル（例えば、セルＡ２）を選択し、選択されたセルを用いてランダムなアクセスを実行することができる。このランダム・アクセスのために、ＵＥは、選択されたセルへの同期を行うために、選択されたセルへと、ランダム・アクセス・チャネル（ＲＡＣＨ）によってランダム・アクセス・プリアンブルを送ることができる（ステップ８）。この選択されたセルは、ＵＥから、ランダム・アクセス・プリアンブルを受信できないかもしれない。あるいは、選択されたセルは、ランダム・アクセス・プリアンブルを受信し、ランダム・アクセス応答を返すことができるが、これはＵＥによって受信されないかもしれない。いずれの場合であれ、ＵＥは、特定の期間内に、選択されたセルからのランダム・アクセス応答を受信しないのであれば、１または複数のさらなる回数、ランダム・アクセス・プリアンブルを再送信することができる。ＵＥは、ランダム・アクセス・プリアンブルを特定の回数送った後、ランダム・アクセス応答を受信しないのであれば、選択されたセルに対するハンドオーバ失敗を宣言する。ハンドオーバ失敗を宣言した後に、ＵＥは、ターゲットｅＮＢの別の候補セル（例えば、セルＢ２）を選択し、このセルを用いてランダム・アクセスを実行することができる。ＵＥは、（ｉ）選択されたセルからのランダム・アクセス応答を受信するまで、あるいは、（ｉｉ）ターゲットｅＮＢの全ての候補セルが選択されるまで、ターゲットｅＮＢの別の候補セルを選択することと、この選択されたセルを用いてランダム・アクセスを実行することとを繰り返すことができる。ＵＥは、ターゲットｅＮＢの候補セル（例えば、セルＡ２またはセルＢ２）からランダム・アクセス応答を受信することができる。ランダム・アクセス応答は、例えばアップリンク（ＵＬ）応答割り当て、ＵＥのための先行タイミング、および恐らくはその他の情報のような情報を含みうる。
【００３１】
ターゲットｅＮＢの候補セル（例えば、セルＡ２またはセルＢ２）へのアクセスが成功すると、ＵＥは、このセルにハンドオーバ確認メッセージを送り、ＵＥのハンドオーバ手続きが完了したことを示す（ステップ１０）。ターゲットｅＮＢは、ハンドオーバ完了メッセージを送り、ＭＭＥ／ＳＡＥゲートウェイに対して、ＵＥがｅＮＢを変更したことを通知する（ステップ１１）。ＭＭＥ／ＳＡＥゲートウェイはその後、ＵＥのデータ・パスを、ソースｅＮＢからターゲットｅＮＢへと切り替える。ＭＭＥ／ＳＡＥゲートウェイはまた、ハンドオーバ完了Ａｃｋメッセージを、ターゲットｅＮＢへ返す（ステップ１２）。ターゲットｅＮＢは、ソースｅＮＢへリリース・リソース・メッセージを送り、ＵＥのハンドオーバが成功したことを示す（ステップ１３）。リリース・リソース・メッセージを受信すると、ソースｅＮＢは、ＵＥのためのリソースをリリースする（ステップ１４）。
【００３２】
各ｅＮＢは、非アクセス層（ＮＡＳ）、ラジオ・リソース制御（ＲＲＣ）、媒体アクセス制御（ＭＡＣ）、物理レイヤ（ＰＨＹ）等を含むプロトコル・スタックを有しうる。ＮＡＳは、例えば、ＳＡＥベアラ管理、認証、アイドルＵＥのためのモビリティ・ハンドリングおよびページング・オリジネーション、および、セキュリティ制御のような機能を実行することができる。ＲＲＣは、例えば、ブロードキャスト、ページング、ＲＲＣ接続管理、ラジオ・ベアラ制御、モビリティ機能、および、ＵＥ測定レポートおよび制御のような機能を実行することができる。ＭＡＣは、例えば、論理チャネルと伝送チャネルとの間のマッピング、データの多重化および逆多重化、およびＨＡＲＱのような機能を実行することができる。ＰＨＹは、エアを介してデータを交換する機能を実行することができる。ＲＲＣは、レイヤ３（Ｌ３）の一部であり、ＲＬＣとＭＡＣはレイヤ２（Ｌ２）の一部であり、ＰＨＹはレイヤ１（Ｌ１）の一部である。
【００３３】
図５は、例えば、図１または図２に示すように、ソースｅＮＢ１１０ａのセルＡ１から、ターゲットｅＮＢ１１０ｂのセルへのＵＥ１２０ｘのハンドオーバのように、ソースｅＮＢのサービス提供セルから、ターゲットｅＮＢのセルへのＵＥのｅＮＢ間ハンドオーバのためのメッセージ・フロー５００の設計を示す。図５は、ＰＨＹ／ＭＡＣ（Ｌ１／Ｌ２）とＲＲＣ（Ｌ３）とを、各ｅＮＢの個別のエンティティとして示す。図５はまた、ハンドオーバのために、ソースｅＮＢとターゲットｅＮＢにおいて、ＵＥ、Ｌ１／Ｌ２エンティティ、Ｌ３エンティティ間で交換されるシグナリングを示す。
【００３４】
ＵＥはまず、ソースｅＮＢのサービス提供セル（例えば、セルＡ１）と通信することができる。ソースｅＮＢは、ＵＥのための測定手順を設定し、ＵＥは、ソースｅＮＢへ測定レポートを送ることができる（ステップ２）。ソースｅＮＢは、ＵＥをハンドオフすることを決定し（ステップ３）、ターゲットｅＮＢへ、ＵＥのコンテクスト情報とハンドオーバ要求メッセージとを送ることができる（ステップ４）。ターゲットｅＮＢにおけるＲＲＣは、ターゲットｅＮＢにおけるＬ１／Ｌ２へリソース・セットアップ・メッセージを送る（ステップ５）。Ｌ１／Ｌ２は、許可制御を実行し（ステップ６）、リソース・セットアップＡｃｋを用いて応答する（ステップ７）。ターゲットｅＮＢにおけるＲＲＣは、その後、ソースｅＮＢへハンドオーバ応答を返すことができる（ステップ８）。
【００３５】
ソースｅＮＢはその後、ＵＥへとハンドオーバ・コマンドを送ることができる（ステップ９）。ハンドオーバ・コマンドは、ＵＥがハンドオーバを試みることができるターゲットｅＮＢ（例えば、図１または図２のセルＡ２およびセルＢ２）の１または複数の候補セルを含むことができる。ＵＥは、ターゲットｅＮＢの候補セルのうちの１つ（例えばＡ２）を選択し、この選択したセルを用いてランダム・アクセスを実行することができる（ステップ１１）。ステップ１１では、ＵＥが、選択されたセルへ、ランダム・アクセス・プリアンブルを送ることができる。選択されたセルは、ＵＥへランダム・アクセス応答を送ることによって応答することができる。ＵＥは、この選択されたセルから、ランダム・アクセス応答を受信できないかもしれない。ＵＥはその後、ターゲットｅＮＢの別の候補セル（例えば、セルＢ２）を選択し、このセルを用いてランダム・アクセスを実行することができる。ターゲットｅＮＢの候補セル（例えば、セルＡ２またはＢ２）へのアクセスに成功すると、ＵＥは、このセルへとハンドオーバ完了メッセージを送ることができる（ステップ１２）。
【００３６】
ＭＭＥ／ＳＡＥゲートウェイは、ソースｅＮＢから（ステップ１０）またはターゲットｅＮＢから（ステップ１３）、ＵＥのデータ・パスを切り替えるメッセージを受信する。ＭＭＥ／ＳＡＥゲートウェイは、その後、ＵＥのデータ・パスをソースｅＮＢからターゲットｅＮＢへと切り替え、リリース・コマンドをソースｅＮＢへ返すことができる（ステップ１４）。ソースｅＮＢでは、ＲＲＣが、ＵＥのリソースをリリースするようにＬ１／Ｌ２に通知することができる（ステップ１５）。
【００３７】
図６は、ソースｅＮＢのサービス提供セルから、ターゲットｅＮＢのセルへのＵＥのｅＮＢ間ハンドオーバのためのメッセージ・フロー６００の設計を示す。メッセージ・フロー６００は、スタンド・アローン・メッセージ・フローであるか、あるいは、図４のメッセージ・フロー４００または図５のメッセージ・フロー５００の一部でありうる。
【００３８】
ＵＥはまず、ソースｅＮＢのサービス提供セル（例えば、セルＡ１）と通信することができる。ＵＥは、ソースｅＮＢへと測定レポートを送ることができる（ステップ１）。ソースｅＮＢは、ＵＥをハンドオフすることを決定し、ターゲットｅＮＢへ、ＵＥのコンテクスト情報とハンドオーバ要求メッセージとを送ることができる（ステップ２）。ターゲットｅＮＢは、ハンドオーバを受諾し、ソースｅＮＢへとハンドオーバ要求Ａｃｋを返すことができる（ステップ３）。ソースｅＮＢはその後、ターゲットｅＮＢの候補セル（例えば、セルＡ２およびセルＢ２）のリストとともにハンドオーバ・コマンドをＵＥに送ることができる（ステップ４）。
【００３９】
ＵＥは、ハンドオーバを試みるために、リスト内の１つの候補セル（例えば、セルＡ２）を選択することができる。ＵＥは、選択したセルを用いてランダム・アクセスを実行し、このセルにランダム・アクセス・プリアンブルを送ることができる（ステップ５）。選択されたセルは、このランダム・アクセス・プリアンブルを受信し、ランダム・アクセス応答を送ることによって応答する（ステップ６）。ランダム・アクセス応答は、様々な理由によって、ＵＥによって誤って復号されうる。あるいは、ＵＥによって送られたランダム・アクセス・プリアンブルは、選択されたセルによって誤って復号され、ランダム・アクセス応答が返されないであろう。いずれの場合であれ、選択されたセルへのハンドオーバの試みは失敗する。
【００４０】
ＵＥは、その後、リスト内の別の候補セル（例えば、セルＢ２）を選択し、ハンドオーバを試みる。ＵＥは、選択されたセルを用いてランダム・アクセスを実行し、このセルにランダム・アクセス・プリアンブルを送る（ステップ７）。選択されたセルは、ランダム・アクセス・プリアンブルを受信し、ランダム・アクセス応答を送ることによって応答する。ランダム・アクセス応答は、ＵＥによって正しく復号される（ステップ８）。ＵＥはその後、ハンドオーバ確認メッセージをターゲットｅＮＢへ送り、ＵＥのハンドオーバ手続きが完了したことを示す（ステップ９）。ＵＥは、その後、ターゲットｅＮＢのこのセルと通信することができる。
【００４１】
図６に示すように、ＵＥは、セルＡ２へのハンドオーバが失敗すると、ターゲットｅＮＢのセルＢ２へのハンドオーバを試みることができる。セルＢ２がより良いセルであると示す情報をＵＥが持っている場合、ＵＥは、セルＢ２へのハンドオーバを直接的に試みることもできる。
【００４２】
図４乃至図６は、ｅＮＢ間ハンドオーバのメッセージ・フローの幾つかの例を示す。一般に、ｅＮＢ間ハンドオーバは、任意のメッセージ・フローに基づいて、任意のセットのメッセージを用いて実行されうる。図４乃至図６に示す設計では、ＵＥは、ターゲットｅＮＢの別のセルへの、ＵＥによって開始されるハンドオーバを試みることができる。別の設計では、ターゲットｅＮＢのセルが、ＵＥのハンドオーバを開始することができる。例えば、ターゲットｅＮＢは、ソースｅＮＢからハンドオーバ要求を受信することに応答して、例えば、ＵＥへメッセージを送りＵＥからの応答を監視することによって、１つのセルに対して一度、ＵＥのハンドオーバを開始するように指示することができる。
【００４３】
ターゲットｅＮＢの任意のセルへのハンドオーバは、以下の理由により、他のｅＮＢのセルへのハンドオーバよりも簡単でありうる。  
・所定のｅＮＢのセルは一般に、同じ容量を持ち、同じ動作パラメータを用いる。したがって、ハンドオーバ・コマンドにおけるラジオ・リンク・コンフィグレーションが、同じｅＮＢの任意のセルのために使用されうる。  
・リソースは一般に、所定のｅＮＢのセル間で共有される。したがって、ターゲットｅＮＢが、準備段階において、ＵＥのハンドオーバを受諾する場合、ターゲットｅＮＢは、ターゲットｅＮＢのセルのうちの何れかにおいて、ＵＥにサービス提供できるようになるであろう。  
・ターゲットｅＮＢの任意のセルへのハンドオーバは、ｅＮＢとＭＭＥ／ＳＡＥゲートウェイとの間のＳ１インタフェース上に、追加のデータ・パス・スイッチを必要としない。
【００４４】
他の設計では、ソースｅＮＢは、ＵＥがハンドオーバを試みるソースｅＮＢの候補セルを提供する。ソースｅＮＢの候補セルは、ハンドオーバのためのターゲット・セルを自律的に選択する際にＵＥにさらなる自由度を与え、ハンドオーバ信頼度を高めることができる。ＵＥは、様々な基準に基づいて、ターゲットｅＮＢとソースｅＮＢの候補セルの中から、ターゲット・セルを選択することができる。１つの設計では、ＵＥは、最良の測定値を持つ候補セルを選択し、ハンドオーバを試みることができる。他の設計では、ＵＥは、ソースｅＮＢの候補セルへのハンドオーバを試みる前に、ターゲットｅＮＢの全ての候補セルへのハンドオーバを試みることができる。また別の設計では、ＵＥは、ターゲットｅＮＢの候補セルへのハンドオーバを試みる前に、ソースｅＮＢの全ての候補セルへのハンドオーバを試みることができる。いずれにせよ、コンテクスト情報は既にソースｅＮＢ内に存在するので、ソースｅＮＢの他のセルへのハンドオーバを実行しても、ＵＥコンテクスト処理の観点から、複雑さは増加しない。さらに、ＵＥのリソースは一般に、図４および図５に示すように、ハンドオーバ手続きが完了するまでソースｅＮＢによってリリースされない。
【００４５】
本明細書に記載したハンドオーバ技術は、ハンドオーバがセル対セル・モビリティ手続きである間、ＵＥコンテクスト転送が、ｅＮＢ対ｅＮＢ通信であるという事実を利用する。したがって、ＵＥは、ターゲットｅＮＢの任意のセル、および／または、ソースｅＮＢの任意のセルへのハンドオーバを実行することが許可される。なぜなら、それは、追加のＵＥコンテクスト転送を必要としないからである。この技術は、ＵＥコンテクスト転送のために追加のオーバヘッドを招くことなく、ハンドオーバ信頼性を向上することができる。
【００４６】
図７は、ＵＥによってハンドオーバを実行する処理７００の設計を示す。ＵＥは、ソース基地局からハンドオーバ・コマンドを受信する（ブロック７１２）。ＵＥは、ソース基地局のセルから、ターゲット基地局の第１のセルへのハンドオーバを試みる（ブロック７１４）。ターゲット基地局の第１のセルへのハンドオーバが失敗すると、ＵＥは、ターゲット基地局の第２のセルへのハンドオーバを試みる（ブロック７１６）。ソース基地局は、ハンドオーバのために、ＵＥのコンテクスト情報を、ターゲット基地局へ転送する。このコンテクスト情報は、ソース基地局からの別のコンテクスト転送を必要とせずに、ターゲット基地局の第１のセルと第２のセルとの両方に利用可能でありうる。
【００４７】
ブロック７１４およびブロック７１６では、ＵＥは、ターゲット基地局の第１のセルへのハンドオーバを試みるために、そのセルへ第１のランダム・アクセス・プリアンブルを送ることができる。このセルからのランダム・アクセス応答を受信しないと、ＵＥは、第１のセルへのハンドオーバが失敗したと判定することができる。ＵＥは、ターゲット基地局の第２のセルへのハンドオーバを試みるために、そのセルへ第２のランダム・アクセス・プリアンブルを送ることができる。ＵＥは、ソース基地局から（例えば、ハンドオーバ・コマンドによって）、ターゲット基地局のコンフィグレーション情報（例えば、ラジオ・リンク・コンフィグレーション）を受信することができる。ＵＥは、このコンフィグレーション情報を用いて、ランダム・アクセス・プリアンブルおよび／またはその他のシグナリングを第１のセルおよび第２のセルへ送る。
【００４８】
１つの設計では、ＵＥは、例えばハンドオーバ・コマンドまたは測定制御メッセージによって、ソース基地局から、ターゲット基地局の第１のセルおよび第２のセルを受け取ることができる。別の設計では、ＵＥは、ソース基地局から第１のセルのみを受け取り、ソース基地局によってブロードキャストされたシステム情報（例えば、近隣セル・リスト）に基づいて、第２のセルを決定することができる。別の設計では、ＵＥは、ソース基地局から、ターゲット基地局の候補セルのリストを受信し、例えば、ＵＥによってなされた測定に基づいて、候補セルのリストから第１のセルおよび第２のセルを選択することができる。第１のセルおよび第２のセルは、例えば図１に示すように、別の地理的領域をカバーすることができる。あるいは、第１のセルおよび第２のセルは、異なる周波数で動作し、例えば図２に示すように、重なり合う有効範囲領域を有することができる。
【００４９】
第２のセルへのハンドオーバが失敗し、ターゲット基地局のその他のどのセルも、ハンドオーバを試みるのに利用できないのであれば、ＵＥは、アイドル状態に移行しうる。ＵＥは、第２のセルへのハンドオーバが失敗した場合にも、ソース基地局の別のセルへのハンドオーバを試みることができる。
【００５０】
図８は、ハンドオーバを実行する装置８００の設計を示す。装置８００は、ソース基地局からハンドオーバ・コマンドを受信する手段（モジュール８１２）と、ソース基地局のセルから、ターゲット基地局の第１のセルへのハンドオーバを試みる手段（モジュール８１４）と、ターゲット基地局の第１のセルへのハンドオーバが失敗すると、ターゲット基地局の第２のセルへのハンドオーバを試みる手段（８１６）とを含む。
【００５１】
図９は、ソース基地局によってＵＥのハンドオーバをサポートする処理９００の設計を示す。ソース基地局は、ＵＥのハンドオーバに対する要求をターゲット基地局へ送り（ブロック９１２）、また、ＵＥのコンテクスト情報を、ターゲット基地局へ送る（ブロック９１４）。ターゲット基地局へのＵＥのハンドオーバを開始するために、ソース基地局は、ＵＥにハンドオーバ・コマンドを送ることができる（ブロック９１６）。ＵＥはまず、ターゲット基地局の第１のセルへのハンドオーバを試み、第１のセルへのハンドオーバが失敗した場合には、次に、ターゲット基地局の第２のセルへのハンドオーバを試みることができる。
【００５２】
ソース基地局は、ターゲット基地局のセルのリストを含む測定制御メッセージを、ＵＥに送ることができる。ソース基地局は、この測定制御メッセージに基づいて、ＵＥによってなされた測定値を受信し、この測定値に基づいて、ターゲット基地局を選択することができる。ソース基地局は、ハンドオーバ・コマンドでＵＥへと、ターゲット基地局の第１のセルと第２のセルを送るか、または、ターゲット基地局の第１のセルのみを送ることができる。ソース基地局はまた、ターゲット基地局のコンフィグレーション情報をＵＥへ送ることができる。ソース基地局は、ターゲット基地局のセルを含む近隣セル・リストをブロードキャストすることができる。
【００５３】
図１０は、ソース基地局によるＵＥのハンドオーバをサポートする装置１０００の設計を示す。装置１０００は、ＵＥのハンドオーバの要求を、ターゲット基地局へ送る手段（モジュール１０１２）と、ＵＥのコンテクスト情報をターゲット基地局へ送る手段（モジュール１０１４）と、ＵＥのターゲット基地局へのハンドオーバを開始させるハンドオーバ・コマンドを、ＵＥへ送る手段（モジュール１０１６）とを含む。ここでは、ＵＥはまず、ターゲット基地局の第１のセルへのハンドオーバを試み、第１のセルへのハンドオーバが失敗した場合には、次にターゲット基地局の第２のセルへのハンドオーバを試みる。
【００５４】
図１１は、ターゲット基地局によるＵＥのハンドオーバをサポートする処理１１００の設計を示す。ターゲット基地局は、ソース基地局からターゲット基地局へのＵＥのハンドオーバの要求を受け取る（ブロック１１１２）。ターゲット基地局はまた、ソース基地局から、ＵＥのコンテクスト情報を受信する（ブロック１１１４）。ターゲット基地局は、ＵＥのターゲット基地局へのハンドオーバのために、ＵＥとシグナリングを交換する（ブロック１１１６）。ＵＥはまず、ターゲット基地局の第１のセルへのハンドオーバを試み、第１のセルへのハンドオーバが失敗した場合には、次に、ターゲット基地局の第２のセルへのハンドオーバを試みることができる。ＵＥの第１のセルまたは第２のセルへのハンドオーバが成功すると、ターゲット基地局は、コンテクスト情報に基づいて、ＵＥにサービス提供することができる（ブロック１１１８）。
【００５５】
ターゲット基地局は、第１のセルにおいて、ＵＥから第１のランダム・アクセス・プリアンブルを受信し、第１のセルからＵＥへと、第１のランダム・アクセス応答を送ることができる。第１のランダム・アクセス応答は、ＵＥによって誤って復号されるかもしれない。ターゲット基地局は、第２のセルにおいて、ＵＥから第２のランダム・アクセス・プリアンブルを受信し、第２のセルからＵＥへと、第２のランダム・アクセス応答を送ることができる。あるいは、ターゲット基地局は、ＵＥによって第１のセルへ送られた第１のランダム・アクセス・プリアンブルを誤って復号し、ＵＥによって第２のセルへ送られた第２のランダム・アクセス・プリアンブルを正しく復号し、ランダム・アクセス応答を第２のセルからＵＥへ送ることができる。
【００５６】
図１２は、ターゲット基地局によるＵＥのハンドオーバをサポートする装置１２００の設計を示す。装置１２００は、ＵＥのソース基地局からターゲット基地局へのハンドオーバに対する要求を受信する手段（モジュール１２１２）と、ソース基地局から、ＵＥのコンテクスト情報を受信する手段（モジュール１２１４）と、ＵＥのターゲット基地局へのハンドオーバのために、ＵＥとシグナリングを交換する手段（モジュール１２１６）とを含む。ここで、ＵＥはまず、ターゲット基地局の第１のセルへのハンドオーバを試み、第１のセルへのハンドオーバが失敗した場合には次に、ターゲット基地局の第２のセルへのハンドオーバを試みる。装置１２００はさらに、ＵＥの第１のセルまたは第２のセルへのハンドオーバが成功しなかった場合には、コンテクスト情報に基づいて、ＵＥにサービス提供する手段（モジュール１２１８）を含む。
【００５７】
図８、図１０、および図１２におけるモジュールは、プロセッサ、電子デバイス、ハードウェア・デバイス、電子構成要素、論理回路、メモリ等、またはこれらの任意の組み合わせを備えうる。
【００５８】
図１３は、ＵＥ１２０、サービス提供／ソース基地局１１０ａ、およびターゲット基地局１１０ｂの設計のブロック図を示す。基地局１１０ａでは、送信プロセッサ１３１４ａが、データ・ソース１３１２ａからトラフィック・データを、コントローラ／プロセッサ１３３０ａおよびスケジューラ１３３４ａからシグナリングを受け取ることができる。例えば、コントローラ／プロセッサ１３３０ａは、ＵＥ１２０のハンドオーバのためのメッセージを提供することができる。スケジューラ１３３４ａは、ＵＥ１２０のためのダウンリンク・リソースおよび／またはアップリンク・リソースの割当を提供することができる。送信プロセッサ１３１４ａは、トラフィック・データ、シグナリング、およびパイロットを処理（例えば、符号化、インタリーブ、およびシンボル・マップ）し、データ・シンボル、シグナリング・シンボル、およびパイロット・シンボルをそれぞれ提供する。変調器（ＭＯＤ）１３１６ａは、これらデータ・シンボル、シグナリング・シンボル、およびパイロット・シンボルについて（例えば、ＯＦＤＭ用の）変調を行い、出力チップを提供する。送信機（ＴＭＴＲ）１３１８ａは、この出力チップを調整（例えば、アナログ変換、増幅、フィルタ、およびアップコンバート）し、ダウンリンク信号を生成する。これは、アンテナ１３２０ａを介して送信される。
【００５９】
基地局１１０ｂも同様に、基地局１１０ｂによってサービス提供されるＵＥのためシグナリングおよびトラフィック・データを処理する。トラフィック・データ、シグナリング、およびパイロットは、送信プロセッサ１３１４ｂによって処理され、変調器１３１６ｂによって変調され、送信機１３１８ｂによって調整され、アンテナ１３２０ｂを介して送信されうる。
【００６０】
ＵＥ１２０では、アンテナ１３５２が、基地局１１０ａ、１１０ｂ、および恐らくはその他の基地局からダウンリンク信号を受信する。受信機（ＲＣＶＲ）１３５４は、アンテナ１３５２からの受信信号を調整（例えば、フィルタ、増幅、ダウンコンバート、およびデジタル化）して、サンプルを提供する。復調器（ＤＥＭＯＤ）１３５６は、このサンプルについて（例えば、ＯＦＤＭ用の）復調を実行し、シンボル推定値を提供する。受信プロセッサ１３５８は、このシンボル推定値を処理（例えば、シンボル・デマップ、デインタリーブ、および復号）し、復号されたデータをデータ・シンク１３６０へ提供する。そして、復号されたシグナリングをコントローラ／プロセッサ１３７０へ提供する。
【００６１】
アップリンクでは、送信プロセッサ１３８２がデータ・ソース１３８０からのトラフィック・データと、コントローラ／プロセッサ１３７０からの（ランダム・アクセス、ハンドオーバ等のための）シグナリングとを受け取って処理する。変調器１３８４は、プロセッサ１３８２からのシンボルについて（例えば、ＳＣ−ＦＤＭ用の）変調を実行し、出力チップを提供する。送信機１３８６は、この出力チップを調整し、アップリンク信号を生成することができる。アップリンク信号は、アンテナ１３５２を介して送信されうる。各基地局では、ＵＥ１２０およびその他のＵＥからのアップリンク信号が、アンテナ１３２０によって受信され、受信機１３４０によって調整され、復調器１３４２によって復調され、受信プロセッサ１３４４によって処理される。プロセッサ１３４４は、復号されたデータをデータ・シンク１３４６へ、復号されたシグナリングをコントローラ／プロセッサ１３３０へ提供する。
【００６２】
コントローラ／プロセッサ１３３０ａ、１３３０ｂおよび１３７０は、基地局１１０ａ、１１０ｂと、ＵＥの１２０とにおける動作をそれぞれ指示する。メモリ１３３２ａ、１３３２ｂ、および１３７２は、基地局１１０ａ、１１０ｂ、およびＵＥ１２０のためのデータとプログラム・コードとをそれぞれ格納することができる。スケジューラ１３３４ａ、１３３４ｂはそれぞれ、基地局１１０ａ、１１０ｂとの通信のためにＵＥをスケジュールし、スケジュールされたＵＥへ、ラジオ・リソースを割り当てることができる。
【００６３】
図１３のプロセッサは、本明細書に記載のハンドオーバ技術のための様々な機能を実行することができる。例えば、ＵＥ１２０におけるプロセッサは、図７における処理７００、メッセージ・フロー４００、５００、６００におけるＵＥの処理、および／または、本明細書に記載の技術に対するその他の処理を実行することができる。ソース基地局１１０ａにおけるプロセッサは、図９における処理９００、メッセージ・フロー４００、５００、６００におけるソースｅＮＢのための処理、および／または、本明細書に記載の技術に対するその他の処理を実行することができる。ターゲット基地局１１０ｂにおけるプロセッサは、図１１における処理１１００、メッセージ・フロー４００、５００、６００におけるターゲットｅＮＢのための処理、および／または、本明細書に記載の技術に対するその他の処理を実行することができる。
【００６４】
当業者であれば、これら情報および信号が、種々異なった技術や技法を用いて表されることを理解するであろう。例えば、上述した記載の全体で引用されているデータ、命令群、コマンド、情報、信号、ビット、シンボル、およびチップは、電圧、電流、電磁波、磁場または磁性粒子、光学場または光学微粒子、あるいはこれら何れかの組み合わせによって表現されうる。
【００６５】
当業者であれば、さらに、本明細書での開示に関連して記載された様々な例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、様々な例示的な構成要素、ブロック、モジュール、回路、およびステップが、それらの機能の観点から一般的に記述された。それら機能がハードウェアとしてまたはソフトウェアとして実現されるかは、特定のアプリケーションおよびシステム全体に課せられている設計制約に依存する。当業者であれば、各特定のアプリケーションに応じて変化する方法で上述した機能を実現することができる。しかしながら、この適用判断は、本発明の範囲からの逸脱をもたらすものと解釈されるべきではない。
【００６６】
本明細書での開示に関連して記述された様々な例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアに接続された１または複数のマイクロプロセッサ、またはその他任意のこのような構成である計算デバイスの組み合わせとして実現することも可能である。
【００６７】
本明細書での開示に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。または、記憶媒体はプロセッサに統合されることができる。このプロセッサと記憶媒体とは、ＡＳＩＣ内に存在することができる。ＡＳＩＣは、ユーザ端末内に存在することもできる。あるいはこのプロセッサと記憶媒体とは、ユーザ端末内のディスクリート部品として存在することができる。
【００６８】
１または複数の典型的な設計では、記述された機能は、ハードウェア、ソフトウェア、ファームウェア、またはこれらの任意の組み合わせで実現されうる。ソフトウェアで実現される場合、これら機能は、コンピュータ読取可能媒体に格納されるか、あるいは、コンピュータ読取可能媒体の１または複数の命令またはコードによって送信されうる。コンピュータ読取可能媒体は、ある場所から別の場所へのコンピュータ・プログラムの転送を容易にする任意の媒体を含むコンピュータ記憶媒体および通信媒体の両方を含む。記憶媒体は、汎用コンピュータまたは特別目的コンピュータによってアクセス可能な任意の利用可能な媒体でありうる。限定ではなく一例として、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置あるいはその他の磁気記憶装置、あるいは命令群またはデータ構造の形態で所望のプログラム・コード手段を伝送または格納するために使用され、かつ汎用コンピュータまたは特別目的コンピュータ、または汎用プロセッサまたは特別目的プロセッサによってアクセス可能なその他任意の媒体を備えうる。また、いかなる接続も、コンピュータ読取可能媒体として適切に称される。例えば、ソフトウェアが、例えば赤外線、無線、およびマイクロ波のような無線技術や、デジタル加入者ライン（ＤＳＬ）や、ツィスト・ペアや、光ファイバ・ケーブルや、同軸ケーブルを用いたウェブサイト、サーバ、またはその他の遠隔ソースから送信された場合、例えば赤外線、無線、およびマイクロ波のような無線技術や、ＤＳＬや、ツィスト・ペアや、光ファイバ・ケーブルや、同軸ケーブルが、媒体の定義に含まれる。本明細書で使用されるディスク（ｄｉｓｋおよびｄｉｓｃ）は、コンパクト・ディスク（ＣＤ）、レーザ・ディスク、光ディスク、ＤＶＤ、フロッピー（登録商標）ディスクおよびブルー・レイ・ディスクを含む。なお、通常、ｄｉｓｋはデータを磁気的に再生し、ｄｉｓｃはデータをレーザを用いて光学的に再生する。上記の組み合わせもまた、コンピュータ読取可能媒体の範囲内に含まれるべきである。
【００６９】
本開示の上記記載は、当業者をして、本開示の製造または利用を可能とするように提供される。これらの開示への様々な変形例もまた、当業者には明らかであって、本明細書で定義された一般的な原理は、本発明の主旨または範囲から逸脱することなく他のバリエーションにも適用されうる。このように、本開示は、本明細書で示された例や設計に限定されるものではなく、本明細書で開示された原理および新規な特徴に一致した最も広い範囲に相当することが意図されている。
【図１】
2010506506.tif 000003
【図２】
2010506506.tif 000004
【図３】
2010506506.tif 000005
【図４】
2010506506.tif 000006
【図５】
2010506506.tif 000007
【図６】
2010506506.tif 000008
【図７】
2010506506.tif 000009
【図８】
2010506506.tif 000010
【図９】
2010506506.tif 000011
【図１０】
2010506506.tif 000012
【図１１】
2010506506.tif 000013
【図１２】
2010506506.tif 000014
【図１３】
2010506506.tif 000015
【国際調査報告】
2010506506.tif 000016
2010506506.tif 000017
2010506506.tif 000018